(57)【要約】【課題】  大きな積載荷重を受けても十分に耐えることができ、また外観を低下することがない棚受け具取付け装置を提供すること。【解決手段】  棚柱２０は、中央の縦方向に棚受け具３０の先端部が係入する案内溝２２を形成する１対の側壁２４Ｌ、２４Ｒと底壁２６とから成り、１対の側壁２４Ｌ、２４Ｒには縦方向に間隔をあけて多対の保持孔２８Ｌ、２８Ｒが設けられ、棚受け具３０は、弾性的に窄めることができる受け具本体３２と、この受け具本体３２の先端に一体に設けられ棚柱２０の任意の１対の保持孔２８Ｌ、２８Ｒに係入すべき１対の係入片３４Ｌ、３４Ｒとから成り、１対の係入片３４Ｌ、３４Ｒは、受け具本体３２の窄みで相互に接近して棚柱２０の案内溝２２内に入り込むことができ、受け具本体３２の窄みの解除によって任意の１対の保持孔２８Ｌ、２８Ｒに係入して保持される。【選択図】図４
2011072551.tif 000002
【特許請求の範囲】
【請求項１】
複数の保持孔を有する棚柱と前記棚柱の任意の保持孔に掛け止めして保持する棚受け具とから成る棚受け具取付け装置において、前記棚柱は、長手方向に延びて棚受け具の先端部が入り込む案内溝を形成する１対の側壁と底壁とから成り、前記保持孔は、前記棚柱の１対の側壁に長手方向に間隔をあけて設けられた多対の保持孔から成り、前記棚受け具は、前記多対の保持孔の任意の１対の保持孔に係入すべき１対の係入片を有し、前記１対の係入片が相互に接近して前記案内溝内に入り込むことができるように弾性的に窄めることができる受け具本体から成り、前記１対の係入片は、前記受け具本体の窄みの解除によって前記複数の保持孔のうちの任意の１対の保持孔に係入して保持されることを特徴とする棚受け具取付け装置。
【請求項２】
請求項１に記載の棚受け具取付け装置であって、前記棚柱は、その両側壁の保持孔を隠蔽するように前記両側壁を覆う隠蔽壁を一体に有することを特徴とする棚受け具取付け装置。
【請求項３】
請求項１又は２に記載の棚受け具取付け装置であって、前記１対の側壁は、その相対する面が奥に向けて次第に長手方向と直交する方向に広がる方向に傾斜していることを特徴とする棚受け具取付け装置。
【請求項４】
請求項１乃至３のいずれかに記載の棚受け具取付け装置であって、前記棚柱は、前記１対の係入片を対応する保持孔に円滑に誘導する案内面を有することを特徴とする棚受け具取付け装置。
【請求項５】
複数の保持孔を有し、前記任意の保持孔に棚受け具を掛け止めして保持する棚柱において、前記棚柱は、長手方向に延びて棚受け具の先端部が入り込む案内溝を形成する１対の側壁と底壁とから成り、前記保持孔は、前記棚柱の１対の側壁に長手方向に間隔をあけて設けられた多対の保持孔から成ることを特徴とする棚柱。
【請求項６】
請求項５に記載の棚柱であって、前記両側壁の保持孔を隠蔽するように前記両側壁を覆う隠蔽壁を一体に有することを特徴とする棚柱。
【請求項７】
請求項５又は６に記載の棚柱であって、前記１対の側壁は、その相対する面が奥に向けて次第に長手方向と直交する方向に広がる方向に傾斜していることを特徴とする棚柱。
【請求項８】
請求項５乃至７のいずれかに記載の棚柱であって、前記棚受け具を前記保持孔に円滑に誘導すべき案内面を有することを特徴とする棚柱。
【発明の詳細な説明】
【技術分野】
【０００１】
本発明は、壁、棚、キャビネット等に種々の物品を載せる棚板を支える棚板受け具を棚柱の適宜の高さ位置に保持して取り付けることができる棚受け具取付け装置及びこの棚板受け具を支持する棚柱の改良に関するものである。
【背景技術】
【０００２】
この種の棚受け具は、特許文献１に開示されているように、前面が開口し両側に溝を有する棚柱の開口を通して窄めながら挿入される断面Ｃ字形受け具本体と、この受け具本体の両端から横方向に延びて受け具本体の挿入後棚柱の両側の溝に弾性的に係止される１対の係止片とから成っている。この棚受け具は、１対の係止片が棚柱の開口よりも狭めるように受け具本体を窄めて棚柱の開口を通して挿入し、その後、受け具本体の窄めを解放してその弾性により１対の係止片を棚柱の両側の溝に摩擦的に係止して棚柱に取り付けられる。棚受け具の取付け位置は、棚柱の両側の溝内の適宜位置に無段階的に設定することができる。
【０００３】
この棚受け具は、１対の係止片を棚柱の対応する溝の適宜位置の壁に弾性的に押し付けて保持しているので、棚受け具を溝内の適宜位置に無段階的に設定することができるが、１対の係止片が棚柱の溝壁に摩擦で保持されているだけであるので、棚受け具上に載せられる棚板上の積載荷重が大きいと、棚受け具がこの荷重に耐えられないで下降したり、片方の棚受け具の下降量が他方の棚受け具の下降量よりも大きくて棚板が傾いたりする虞がある。
【０００４】
なお、この特許文献１は、その図４及び図５において、棚受け具を棚柱の前面に設けられた複数の保持孔のうち選択された１つの保持孔に掛け止めして保持する先行技術を記載しているが、この構造では、棚受け具を無段階的には位置設定することができないが、棚受け具を保持孔の壁に確実に保持して積載荷重に十分に耐えることができる。棚受け具の無段階的な位置設定を犠牲にして棚受け具を高い機械的強度で保持するにはこの保持孔に掛け止めするのが好ましいが、この特許文献１の従来技術として記載されている構造では、棚受け具が保持されていない保持孔が露出しているため、外観が悪くなる欠点があった。
【０００５】
また、従来技術による保持孔式の棚受け具取付け装置は、棚柱の前方に棚受け具を手で近付けて任意の保持孔に掛け止めることによって棚受け具を棚柱に保持するので、棚受け具を手で持ちながら掛け止めすべき所定の保持孔を選択しなければならないため、棚受け具を保持孔に掛け止める作業が容易でなかった。
【先行技術文献】
【特許文献】
【０００６】
【特許文献１】実公昭５６−１０１９０号公報
【発明の概要】
【発明が解決しようとする課題】
【０００７】
本発明が解決しようとする課題は、大きな積載荷重を受けても十分に耐えることができ、また外観を低下することがない棚受け具取付け装置及びこの装置に好適な棚柱を提供することにある．
【０００８】
本発明が解決しようとする他の課題は、棚受け具を掛け止めすべき保持孔に容易に誘導して棚受け具の掛け止め作業を容易に行うことができる棚受け具取付け装置及びこの装置に好適な棚柱を提供することにある．
【課題を解決するための手段】
【０００９】
本発明の基本的な課題解決手段は、複数の保持孔を有する棚柱と前記棚柱の任意の保持孔に掛け止めして保持する棚受け具とから成る棚受け具取付け装置において、前記棚柱は、長手方向に延びて棚受け具の先端部が入り込む案内溝を形成する１対の側壁と底壁とから成り、前記保持孔は、前記棚柱の１対の側壁に長手方向に間隔をあけて設けられた多対の保持孔から成り、前記棚受け具は、前記多対の保持孔の任意の１対の保持孔に係入すべき１対の係入片を有し、前記１対の係入片が相互に接近して前記案内溝内に入り込むことができるように弾性的に窄めることができる受け具本体から成り、前記１対の係入片は、前記受け具本体の窄みの解除によって前記複数の保持孔のうちの任意の１対の保持孔に係入して保持されることを特徴とする棚受け具取付け装置を提供することにある。
【００１０】
本発明の基本的な課題解決手段において、棚柱は、その１対の側壁の保持孔を隠蔽するように前記１対の側壁を覆う隠蔽壁を一体に有するのが好ましい。
【００１１】
また、保持孔を有する１対の側壁は、その相対する面が奥に向けて次第に長手方向と直交する方向に広がる方向に傾斜しているのが望ましい。
【００１２】
また、本発明の基本的な課題解決手段において、棚柱は、前記棚受け具の係入片を前記保持孔に円滑に誘導する案内面を有するのが好ましい。
【００１３】
更に、本発明の基本的な課題解決手段において、棚受け具の受け具本体は、枠の形態を有し、且つ棚受け具は、この枠の中に入り込んで枠の上面に係止して保持される補強部材を含むことができる。
【００１４】
本発明の他の課題解決手段は、複数の保持孔を有し、前記複数の保持孔のうち任意の保持孔に棚受け具を掛け止めして保持する棚柱において、長手方向に延びて棚受け具の先端部が入り込む案内溝を形成する１対の側壁と底壁とから成り、前記保持孔は、前記棚柱の１対の側壁に長手方向に間隔をあけて設けられた多対の保持孔から成ることを特徴とする棚柱を提供することにある。
【００１５】
本発明の上記の他の課題解決手段において、両側壁の保持孔を隠蔽するように前記両側壁を覆う隠蔽壁を一体に有するのが好ましい。
【００１６】
また、本発明の上記の他の課題解決手段において、１対の側壁は、その相対する面が奥に向けて次第に長手方向と直交する方向に広がる方向に傾斜しているのが望ましい。
【００１７】
更に、本発明の上記の他の課題解決手段において、前記棚受け具を前記保持孔に円滑に誘導すべき案内面を有するのが好ましい。
【発明の効果】
【００１８】
本発明によれば、棚受け具は、その係入片を棚柱の両側壁に設けられた保持孔に係入して保持されるので、大きな積載荷重を受けても十分に耐えることができ、また保持孔は、棚柱の正面ではなく両側壁に設けられているので、棚受け具が保持されない保持孔は、正面から視認することができないので、外観を悪化することがなく、見栄えを良好に維持することができる。特に、棚柱が取付け壁に面付けされる場合に、棚柱の両側壁の保持孔を隠蔽する隠蔽壁を有すると、見栄えは、一層良好に保つことができる。
【００１９】
また、棚柱の底壁には棚受け具の係入片を保持孔に誘導する案内面を有すると、棚受け具を掛け止めすべき保持孔に係入片を容易に誘導することができるので、棚受け具の掛け止め作業を容易に行うことができる。
【００２０】
更に、棚受け具の受け具本体が枠の形態を有し、且つ棚受け具は、この枠の中に入り込んで枠の上面に係止して保持される補強部材を含んでいると、棚受け具は、受け具本体を保持孔に保持した後、補強部材によって補強されるので、堅固な棚受け構造を提供することができる。
【図面の簡単な説明】
【００２１】
【図１】本発明の棚受け具取付け装置を用いた棚板付きキャビネットの水平断面図である。
【図２】本発明の第１の実施の形態による棚受け具取付け装置を下方から上方に俯瞰して示し、同図（Ａ）は、棚柱を取付け壁面に面付けした場合の棚板を含む斜視図、同図（Ａ’）は、同図（Ａ）の棚板が取り外された場合の斜視図、同図（Ｂ）は、棚柱を取付け壁面に掘り込んで取り付けた場合の棚板を含む斜視図、同図（Ｂ’）は、同図（Ｂ）の棚板が取り外された場合の斜視図である。
【図３】図２の棚受け具取付け装置の１つの棚柱に１つの棚受け具を取付けた場合を拡大して示し、同図（Ａ）は、底板が取り外された状態の斜視図、同図（Ｂ）は、底板が取り付けられた状態の斜視図である。
【図４】図３（Ｂ）を分解して示し、同図（Ａ）は、その分解斜視図、同図（Ｂ）は、棚受け具の係入片を変形した場合の同様の斜視図である。
【図５】図３の棚受け具取付け装置の正面図である。
【図６】図５の棚受け具取付け装置を一部を破断して示す側面図である。
【図７】図５の棚受け具取付け装置の上面図である。
【図８】図５の８−８線拡大断面図である。
【図９】図５の９−９線拡大断面図である。
【図１０】図４（Ｂ）の棚受け具取付け装置の１対の係入片の係入状態の縦断面図である。
【図１１】図５の棚受け具取付け装置に用いられている棚柱を示し、同図（Ａ）は、その正面図、同図（Ｂ）は、この棚柱に用いられる底板の正面図、同図（Ｃ）は、その上面図である。
【図１２】図１１（Ａ）の棚柱の１２−１２線断面図である。
【図１３】図１１の棚柱を拡大して示し、同図（Ａ）（Ｂ）及び（Ｃ）はそれぞれ図９（Ａ）の１３Ａ−１３Ａ、１３Ｂ−１３Ｂ、１３Ｃ−１３Ｃの断面図である。
【図１４】図４（Ａ）の受け具本体を示し、同図（Ａ）乃至（Ｃ）は、それぞれ、その上面図、側面図及び下面図、同図（Ｄ）（Ｅ）は、それぞれ、その上面を俯瞰した斜視図及び下面を俯瞰した斜視図である。
【図１５】図４（Ａ）の棚受け具を示し、同図（Ａ）乃至（Ｃ）は、それぞれ、その上面図、側面図及び下面図、同図（Ｄ）（Ｅ）は、それぞれ、その上面を俯瞰した斜視図及び下面を俯瞰した斜視図である。図２の棚受け具取付け装置の下方からの斜視図である。
【図１６】図４（Ｂ）の受け具本体を示し、同図（Ａ）乃至（Ｃ）は、それぞれ、その上面図、側面図及び下面図、同図（Ｄ）（Ｅ）は、それぞれ、その上面を俯瞰した斜視図及び下面を俯瞰した斜視図である。
【図１７】掘り込み式の棚受け具取付け装置の変形例を示し、同図（Ａ）乃至（Ｃ）は、異なる変形例の水平断面図、同図（Ａ’）乃至（Ｃ’）は、受け具本体を棚柱に挿入する途中の同様の断面図である。
【図１８】面付け式の棚受け具取付け装置の変形例を示し、同図（Ａ）及び（Ｂ）は、異なる変形例の水平断面図、同図（Ｃ）は、図３及び図４の装置を変形例と対比するために示す水平断面図、同図（Ａ’）乃至（Ｃ’）は、同図（Ａ）乃至（Ｃ）の装置の受け具本体を棚柱に挿入する途中の同様の断面図である。
【図１９】図１７（Ａ）乃至（Ｃ）の掘り込み式の棚受け具取付け装置の棚柱の水平断面図である。
【図２０】図１８（Ａ）乃至（Ｃ）の面付け式の棚受け具取付け装置の棚柱の水平断面図である。
【図２１】棚柱の案内面の異なる例を示す横断面図である。
【発明を実施するための形態】
【００２２】
本発明の第１の実施の形態を図１乃至図１１を参照して詳細に述べると、本発明の棚受け具取付け装置１０を用いた棚を有するキャビネットＣが図１に示されており、棚板Ｓは、キャビネットＣの内壁の四隅に本発明の棚受け具取付け装置１０によって取付けられた前後左右４つの棚受け具３０の上に搭載され、棚受けすべき物品は、この棚板Ｓの上に載せられる。４つの棚受け具３０は、相応する棚柱２０に取り付けられる。なお、本発明は、例えば、２つの棚受け具３０に跨って棚板Ｓを載せてこの棚板Ｓの上に物品を搭載する形態の棚にも適用することができる。
【００２３】
本発明の棚受け具取付け装置１０は、図２以下に示されている。棚柱２０は、取付け壁Ｗに適宜の手段で取り付けられ、棚受け具３０は、棚柱２０の適宜の高さ保持して取り付けられる。棚柱２０は、図２（Ａ）（Ａ’）に示すように、取付け壁Ｗに面付けしてもよいし、図２（Ｂ）（Ｂ’）に示すように、取付け壁Ｗに掘り込んで取り付けてもよい。４つの棚柱２０と４つ棚受け具３０とは、全く同じ構造を有するので、以下では１つの棚柱２０及び棚受け具３０についてのみ説明する。
【００２４】
棚柱２０は、その中央の縦方向に、棚受け具３０の先端部が係入する案内溝２２を形成する１対の側壁２４Ｌ、２４Ｒと、底壁２６とから成っており、棚柱２０の１対の側壁２４Ｌ、２４Ｒに縦方向に間隔をあけて設けられた多対（複数対）の保持孔２８Ｌ、２８Ｒ（以下総称して符号２８で表すことがある）を備えている。
【００２５】
図示の形態では、棚柱２０の両側壁２４Ｌ、２４Ｒは、図８及び図１３から解るように、その相対する面２４ＬＦ、２４ＲＦが奥に向けて（取付け壁Ｗに向けて）次第に左右に広がる方向に傾斜している。この傾斜は、図５、図１１（Ａ）に示すように、保持孔２８が棚柱２０の正面から視認することができないで見栄えを良好にするのに役立つ。
【００２６】
棚柱２０は、その上下端付近に設けられたねじ貫通孔２６Ｈに貫通するねじ２６ＳＣによって取付け壁Ｗに取り付けられる。図４に示す底板２６Ｂは、この貫通孔２６Ｈ及びねじ２６ＳＣを隠蔽するように、棚柱２０の底壁２６に固定される。この底板２６Ｂは、底壁２６に接着してもよいが、図３乃至図１１の形態では、両側壁２４Ｌ、２４Ｒが奥向きに広がるように傾斜しているため、そのもっとも広がっている底壁２６に重合するだけで底壁２６から離反することがないので、接着等の手段を必ずしも必要としない。なお、貫通孔２６Ｈは、図１３に示すように、その周壁が取付け壁Ｗに向けて円錐状に張り出しており、この貫通孔２６Ｈを貫通するねじ２６ＳＣは、その頭部が円錐状の周壁内に納まるので、底壁２６から出っ張ることはない。
【００２７】
また、棚柱２０は、その両側壁２４Ｌ、２４Ｒの保持孔２８を隠蔽するように、両側壁２４Ｌ、２４Ｒを覆う隠蔽壁２４ＬＷ、２４ＲＷを一体に有する。これらの隠蔽壁２４ＬＷ、２４ＲＷは、特に、図２（Ａ）（Ａ´）に示すように、棚柱２０を取付け壁Ｗに面付けする場合には、棚柱２０に設けるのが望ましい。これらの隠蔽壁２４ＬＷ、２４ＲＷは、図８、図１３（Ａ）に示すように、保持孔２８を棚柱２０の両外側から視認することができないで見栄えを良好にするのに役立つ。
【００２８】
棚受け具３０は、弾性的に窄めることができる受け具本体３２と、この受け具本体３２の先端の首部３４ＬＮ、３４ＲＮを介して多対の保持孔２８の任意の１対の保持孔２８Ｌ、２８Ｒに係入すべき１対の係入片３４Ｌ、３４Ｒとから成っており、これらの１対の係入片３４Ｌ、３４Ｒは、受け具本体３２の相対する壁を相互に接近して窄めると、案内溝２２内に入り込むことができるように相互に接近する。これらの１対の係入片３４Ｌ、３４Ｒは、案内溝２２内に入り込んだ後、受け具本体３２の窄みの解除によって複数の保持孔２８のうちの任意の１対の保持孔２８Ｌ、２８Ｒに係入して保持される。
【００２９】
棚柱２０は、棚受け具３０の１対の係入片３４Ｌ、３４Ｒを相応する１対の保持孔２８Ｌ、２８Ｒに円滑に誘導する案内面２６Ｇを有するのが好ましく、この案内面２６Ｇは、典型的には、保持孔２８の奥（取付け壁Ｗ）の方の壁面に面一かほぼ面一となるように形成されている。
【００３０】
この案内面２６Ｇの面一の例は、図１９（Ａ）乃至（Ｃ）、図２０（Ａ）（Ｂ）に示されており、図１９（Ａ）（Ｃ）の案内面２６Ｇは、側壁２４Ｌ、２４Ｒの孔壁自体に形成され、また、図１９（Ｂ）の案内面２６Ｇは、底板２６Ｂを兼ねるキャップ２６Ｃに形成されている。図２０（Ａ）の案内面２６Ｇは、側壁２４Ｌ、２４Ｒの段部によって形成されており、図２０（Ｂ）の案内面２６Ｇは、底板２６Ｂの正面が兼ねている。
【００３１】
面一以外で、「一対の係入片を円滑に保持孔に誘導する案内面」の例が図８、図２１に示されており、図８の案内面２６Ｇは、保持孔２８の奥よりも若干引っ込んで位置する底板２６Ｂの正面から形成されており、また図２１の案内面２６Ｇは、保持孔２８の奥の方の壁面よりも少し正面側に出張って形成されている。後者の場合、案内面２６Ｇと保持孔２８の手前の壁との間には、係入片３４Ｌ、３４Ｒの厚み以上の間隔を有することが必要である。なお、いずれの場合も、この「円滑に誘導する案内面２６Ｇ」は、保持孔２８に近い両端が保持孔２８の奥の方の壁面に向けて傾斜するかカーブするテーパ面とすると一層好ましい。ここで、「一対の係入片を円滑に保持孔に誘導する案内面」とは、案内溝２２の中に入り込んだ受け具本体３２を手により窄めることなく棚柱２０の長手方向に滑らせていくと、自動的に一対の係入片３４Ｌ、３４Ｒを保持孔２８に入り込ませる案内面であれば何でもよい。
【００３２】
図示の形態では、棚受け具３０の受け具本体３２は、図１４、図１６に示すように、係入片３４Ｌ、３４Ｒで開いている略矩形状の枠３２Ｆの形態を有し、棚受け具３０は、この枠３２Ｆの中と首部３４ＬＮ、３４ＲＮの間とに入り込む補強部材３６を含むのが好ましい。この補強部材３６は、枠３２Ｆの上面に係止して保持されるべき鍔３６Ｆを有する。
【００３３】
次に、本発明の棚受け具の取り付け装置１０の組立方法を述べると、図２（Ａ）（Ａ’）又は（Ｂ）（Ｂ’）に示すように、棚柱２０の貫通孔２６Ｈを貫通するねじ２６ＳＣを取付け壁Ｗにねじ込んで棚柱２０を取付け壁Ｗに面付けか掘り込みかして取り付け、その後底板２６Ｂを案内溝２２の奥に取り付けてねじ２６ＳＣを隠蔽する。棚柱２０が取付け壁Ｗに面付けされた場合のこの状態は、図２０（Ｃ）に示されている。
【００３４】
次に、図１８（Ｃ’）  に示すように、棚受け具３０の枠状の受け具本体３２の１対の係入片３４Ｌ、３４Ｒが相互に接近するように、枠状の受け具本体３２を窄めながら１対の係入片３４Ｌ、３４Ｒを棚柱２０の案内溝２２内に挿入し、この案内溝２２と底板２６Ｂの正面である案内面２６Ｇに沿って昇降して所定高さ位置にある１対の保持孔２８Ｌ、２８Ｒに対応する位置で枠状の受け具本体３２の窄みを解放する。この受け具本体３２の窄みの解放によって、１対の係入片３４Ｌ、３４Ｒは、図１８（Ｃ）に示すように、対応する１対の保持孔２８Ｌ、２８Ｒに係入し、受け具本体３２が棚柱２０に保持される。
【００３５】
その後、図５乃至図９に示すように、補強部材３６を枠状の受け具本体３２の内部に挿入し、受け具本体３２を補強して棚受け具３０を完成する。なお、補強部材３６は、既に述べたように、鍔３６Ｆを有するので、補強部材３６は、この鍔３６Ｆによって枠状の受け具本体３２に保持される。図８から解るように、補強部材３６は、首部３４ＬＮ、３４ＲＮの間にも挿入されるので、枠状の受け具本体３２は、この補強部材３６と共に実質的に堅固な棚受け具３０を構成することになる。
【００３６】
なお、図１４、図１６に示すように、１対の首部３４ＬＮ、３４ＲＮ及びその後方（取付け壁Ｗとは反対方向）の近辺部分と１対の係入片３４Ｌ、３４Ｒとの高さ寸法は、枠状の受け具本体３２の高さ寸法よりも大きく設定され、首部３４ＬＮ、３４ＲＮ及びその近辺部分と係入片３４Ｌ、３４Ｒとが枠状の受け具本体３２よりも下方に延びているが、これらの高さ寸法は、同じかほぼ同じであってもよい。
【００３７】
図４（Ｂ）、図１０及び図１６の実施の形態では、１対の係入片３４Ｌ、３４Ｒの下半部に縦溝３４ＬＧ、３４ＲＧを有し、これらの縦溝３４ＬＧ、３４ＲＧは、棚柱２０の保持孔２８に噛み合うようにしているのが示されている。このようにすると、１対の係入片３４Ｌ、３４Ｒは、棚柱２０に一層堅固に組み付けられるので、棚受け構造が一層強固になり望ましい。
【００３８】
本発明の実施の形態の幾つかのパターンが図１７及び図１８に示されている。図３乃至図１６の形態は、図１８（Ｃ）（Ｃ’）に示されており、図１７（Ａ）（Ａ’）、（Ｂ）（Ｂ’）、（Ｃ）（Ｃ’）及び図１８（Ａ）（Ａ’）、（Ｂ）（Ｂ’）に示される形態は、下記の点で異なる。
【００３９】
まず、図１７の形態と図１８の形態とは、棚柱２０が掘り込み式であるか（図１７参照）、面付け式であるか（図１８参照）で異なる。図１７の掘り込み式では、棚柱２０の両側壁２４Ｌ、２４Ｒが取付け壁Ｗ内に埋め込まれるので、保持孔２８が両側から視認されることがなく、従って隠蔽壁２４ＬＷ、２４ＲWを必要としないが、図１８の形態は、棚柱２０の両側壁２４Ｌ、２４Ｒが外部に露出するので、隠蔽壁２４ＬＷ、２４ＲＷが必要となる。
【００４０】
また、図１７（Ａ）（Ａ’）の形態は、棚受け具３０の係入片３４Ｌ、３４Ｒ用の案内面２６Ｇを有しないが、他の形態はすべて案内面２６Ｇを有する。案内面２６Ｇは、図１７（Ｃ）（Ｃ’）、図１８（Ａ）（Ａ’）、（Ｂ）（Ｂ’）、（Ｃ）（Ｃ’）の形態では既に述べた通りであるが、図１７（Ｂ）の形態では、既に述べたように、保持孔２８の奥の壁より更に奥の部分を閉じて底板２６Ｂを兼ねるキャップ２６Ｃの外面が案内面２６Ｇを兼ねている。
【００４１】
更に、図１８（Ｃ）（Ｃ’）では、棚柱２０の両側壁２４Ｌ、２４Ｒは傾斜していたが、図１７及び図１８の他の形態では、すべて傾斜していないで取付け壁Ｗの正面に対して直角に延びている。
【００４２】
図１９（Ａ）乃至（Ｃ）は、図１７（Ａ）（Ａ’）乃至（Ｃ）（Ｃ’）の形態で受け具本体３２を省略し拡大して示したものであり、また図２０（Ａ）乃至（Ｃ）は、図１８（Ａ）（Ａ’）乃至（Ｃ）（Ｃ’）の形態で受け具本体３２を省略し拡大して示したものであり、更に、図２０（Ｄ）乃至（Ｆ）は、いずれも案内面２６Ｇを有しない点で図２０（Ａ）乃至（Ｃ）の形態と異なる。なお、図２０（Ｆ）は、底板２６Ｂを有するが、この底板２６Ｂは、保持孔２８の奥の壁から相当に引っ込んでおり、案内面２６Ｇを兼ねることができない。
【産業上の利用可能性】
【００４３】
本発明によれば、棚受け具は、弾性的に窄められて相互に接近したり窄みの解放で相互に離反したりする１対の係入片を有し、この１対の係入片は、棚柱の１対の側壁に設けられた多段の対の保持孔のうち任意の１対の保持孔に係入して保持されるので、大きな積載荷重を受けても十分に耐えることができ、また保持孔は、棚柱の正面ではなく両側壁に設けられているので、棚受け具が保持されない保持孔は、正面から観察することができないので、外観を悪化することがなく、高い産業上の利用性を有する。
【符号の説明】
【００４４】
Ｃ  キャビネット
Ｗ  取付け壁
Ｓ  棚板
１０  棚受け具取付け装置
２０  左右１対の棚柱
２２  案内溝
２４Ｌ、２４Ｒ  １対の側壁
２４ＬＦ、２４ＲＦ  １対の側壁の相対する面
２４ＬＷ、２４ＲＷ  隠蔽癖
２６  底壁
２６Ｃ  キャップ
２６Ｈ  貫通孔
２６ＳＣ  ねじ
２６Ｂ  底板
２６Ｇ  案内面
２８、２８Ｌ、２８Ｒ  保持孔
３０  左右１対の棚受け具
３２  受け具本体
３２Ｆ  矩形状の枠
３４Ｌ、３４Ｒ  １対の係入片
３４ＬＧ、３４ＲＧ  縦溝
３４ＬＮ、３４ＲＮ  首部
３６  補強部材
３Ｆ  鍔
【図１】
2011072551.tif 000003
【図２】
2011072551.tif 000004
【図３】
2011072551.tif 000005
【図４】
2011072551.tif 000006
【図５】
2011072551.tif 000007
【図６】
2011072551.tif 000008
【図７】
2011072551.tif 000009
【図８】
2011072551.tif 000010
【図９】
2011072551.tif 000011
【図１０】
2011072551.tif 000012
【図１１】
2011072551.tif 000013
【図１２】
2011072551.tif 000014
【図１３】
2011072551.tif 000015
【図１４】
2011072551.tif 000016
【図１５】
2011072551.tif 000017
【図１６】
2011072551.tif 000018
【図１７】
2011072551.tif 000019
【図１８】
2011072551.tif 000020
【図１９】
2011072551.tif 000021
【図２０】
2011072551.tif 000022
【図２１】
2011072551.tif 000023